(57)【要約】【課題】イベント参加者個別の情報を配信することができない。【解決手段】本発明の情報配信システムは、イベント会場に設置された小型基地局とネットワークを介して接続され、前記小型基地局を介して、イベント参加者が使用する携帯端末に情報を配信する情報配信システムであって、前記携帯端末から前記小型基地局を介して送信されてきた、前記イベント参加者が配信を要求する情報を示す配信要求を受信すると、前記携帯端末が、前記情報の配信を受ける権限を有するか否かを認証する認証手段と、前記認証手段により、前記携帯端末が前記権限を有すると認証されると、前記配信要求により示される情報を、前記小型基地局を介して前記携帯端末に配信する配信手段と、を有する。【選択図】図２
2011004126.tif 000002
【特許請求の範囲】
【請求項１】
イベント会場に設置された小型基地局とネットワークを介して接続され、前記小型基地局を介して、イベント参加者が使用する携帯端末に情報を配信する情報配信システムであって、
前記携帯端末から前記小型基地局を介して送信されてきた、前記イベント参加者が配信を要求する情報を示す配信要求を受信すると、前記携帯端末が、前記情報の配信を受ける権限を有するか否かを認証する認証手段と、
前記認証手段により、前記携帯端末が前記権限を有すると認証されると、前記配信要求により示される情報を、前記小型基地局を介して前記携帯端末に配信する配信手段と、を有する情報配信システム。
【請求項２】
前記配信手段は、
前記携帯端末に配信可能な情報の一覧を示すメニュー画面を、前記小型基地局を介して前記携帯端末に送信し、
前記認証手段は、
前記メニュー画面の中から前記イベント参加者により選択された情報を含む前記配信要求を受信し、
前記配信手段は、
前記メニュー画面の中から前記イベント参加者により選択された情報を、前記小型基地局を介して前記携帯端末に配信する、請求項１に記載の情報配信システム。
【請求項３】
前記情報は、宣伝広告に関する情報を含む、請求項１または２に記載の情報配信システム。
【請求項４】
イベント会場に設置された小型基地局とネットワークを介して接続され、前記小型基地局を介して、イベント参加者が使用する携帯端末に情報を配信する情報配信サーバであって、
前記携帯端末から前記小型基地局を介して送信されてきた、前記イベント参加者が配信を要求する情報を示す配信要求を受信すると、前記携帯端末が、前記情報の配信を受ける権限を有するか否かを認証する認証手段と、
前記認証手段により、前記携帯端末が前記権限を有すると認証されると、前記配信要求により示される情報を、前記小型基地局を介して前記携帯端末に配信する配信手段と、を有する情報配信サーバ。
【請求項５】
前記配信手段は、
前記携帯端末に配信可能な情報の一覧を示すメニューを、前記小型基地局を介して前記携帯端末に送信し、
前記認証手段は、
前記メニュー画面の中から前記イベント参加者により選択された情報を含む前記配信要求を受信し、
前記配信手段は、
前記メニュー画面の中から前記イベント参加者により選択された情報を、前記小型基地局を介して前記携帯端末に配信する、請求項４に記載の情報配信サーバ。
【請求項６】
前記情報は、宣伝広告に関する情報を含む、請求項４または５に記載の情報配信サーバ。
【請求項７】
イベント会場に設置された小型基地局とネットワークを介して接続され、前記小型基地局を介して、イベント参加者が使用する携帯端末に情報を配信する情報配信サーバに適用される情報配信方法であって、
前記携帯端末から前記小型基地局を介して送信されてきた、前記イベント参加者が配信を要求する情報を示す配信要求を受信すると、前記携帯端末が、前記情報の配信を受ける権限を有するか否かを認証する認証ステップと、
前記認証ステップにより、前記携帯端末が前記権限を有すると認証されると、前記配信要求により示される情報を、前記小型基地局を介して前記携帯端末に配信する配信ステップと、を有する情報配信方法。
【請求項８】
前記携帯端末に配信可能な情報の一覧を示すメニュー画面を、前記小型基地局を介して前記携帯端末に送信するステップをさらに有し、
前記認証ステップでは、
前記メニュー画面の中から前記イベント参加者により選択された情報を含む前記配信要求を受信し、
前記配信ステップでは、
前記メニュー画面の中から前記イベント参加者により選択された情報を、前記小型基地局を介して前記携帯端末に配信する、請求項７に記載の情報配信方法。
【請求項９】
前記情報は、宣伝広告に関する情報を含む、請求項７または８に記載の情報配信方法。
【発明の詳細な説明】
【技術分野】
【０００１】
本発明は、イベント参加者に対して、情報を配信する情報配信システム、情報配信サーバ、および情報配信方法に関する。
【背景技術】
【０００２】
現在、スポーツ競技会、コンサート、公演などのイベントが催されるイベント会場において、イベント参加者へ情報を配信する情報配信方法として、イベント会場に設置されたディスプレイに、イベント全体に共通する情報を表示する方法や、情報を記載した紙をイベント参加者に配布する方法が用いられている。
【０００３】
また、特許文献１には、イベント会場である劇場において、劇場に設置された小型基地局から、イベント参加者である観客が使用する携帯端末に対して、上演される演目の字幕情報を配信する情報配信方法が記載されている。
【先行技術文献】
【特許文献】
【０００４】
【特許文献１】特開２００７−２３６７１１号公報
【発明の概要】
【発明が解決しようとする課題】
【０００５】
しかしながら、イベント会場に設置されたディスプレイへの表示や、紙を配布する情報配信方法では、各イベント参加者が配信を要求する、イベント参加者個別の情報を配信することができない。
【０００６】
また、特許文献１に記載の情報配信方法においても、イベント参加者に対して、共通の情報を配信するのみで、イベント参加者からの要求に応じた、イベント参加者個別の情報を配信することができない。
【０００７】
本発明の目的は、イベント参加者が配信を要求する、イベント参加者個別の情報を配信することができる情報配信システム、情報配信サーバ、および情報配信方法を提供することにある。
【課題を解決するための手段】
【０００８】
上記目的を達成するために本発明の情報配信システムは、
イベント会場に設置された小型基地局とネットワークを介して接続され、前記小型基地局を介して、イベント参加者が使用する携帯端末に情報を配信する情報配信システムであって、
前記携帯端末から前記小型基地局を介して送信されてきた、前記イベント参加者が配信を要求する情報を示す配信要求を受信すると、前記携帯端末が、前記情報の配信を受ける権限を有するか否かを認証する認証手段と、
前記認証手段により、前記携帯端末が前記権限を有すると認証されると、前記配信要求により示される情報を、前記小型基地局を介して前記携帯端末に配信する配信手段と、を有する。
【０００９】
上記目的を達成するために本発明の情報配信サーバは、
イベント会場に設置された小型基地局とネットワークを介して接続され、前記小型基地局を介して、イベント参加者が使用する携帯端末に情報を配信する情報配信サーバであって、
前記携帯端末から前記小型基地局を介して送信されてきた、前記イベント参加者が配信を要求する情報を示す配信要求を受信すると、前記携帯端末が、前記情報の配信を受ける権限を有するか否かを認証する認証手段と、
前記認証手段により、前記携帯端末が前記権限を有すると認証されると、前記配信要求により示される情報を、前記小型基地局を介して前記携帯端末に配信する配信手段と、を有する。
【００１０】
上記目的を達成するために本発明の情報配信方法は、
イベント会場に設置された小型基地局とネットワークを介して接続され、前記小型基地局を介して、イベント参加者が使用する携帯端末に情報を配信する情報配信サーバに適用される情報配信方法であって、
前記携帯端末から前記小型基地局を介して送信されてきた、前記イベント参加者が配信を要求する情報を示す配信要求を受信すると、前記携帯端末が、前記情報の配信を受ける権限を有するか否かを認証する認証ステップと、
前記認証ステップにより、前記携帯端末が前記権限を有すると認証されると、前記配信要求により示される情報を、前記小型基地局を介して前記携帯端末に配信する配信ステップと、を有する。
【発明の効果】
【００１１】
本発明によれば、情報配信システムは、イベント参加者が使用する携帯端末から小型基地局を介して送信されてきた、イベント参加者が配信を要求する情報を示す配信要求を受信すると、その配信要求に示される情報を、イベント会場に設置された小型基地局を介して、配信要求を送信した携帯端末に配信する。
【００１２】
そのため、情報配信システムは、イベント参加者が配信を要求する、イベント参加者個別の情報を配信することができるという効果が得られる。
【図面の簡単な説明】
【００１３】
【図１】本発明の一実施形態の情報配信システムが情報配信サービスを提供する形態の一例を説明する図である。
【図２】図１に示す情報配信システムの構成の一例を示すブロック図である。
【図３】図１に示す携帯端末の表示部に表示されるメニュー画面の一例を示す図である。
【図４】本発明の一実施形態の情報配信システムを適用した商流を説明する図である。
【発明を実施するための形態】
【００１４】
以下に、本発明を実施するための形態について図面を参照して説明する。
【００１５】
図１は、本発明の一実施形態の情報配信システム１０が情報配信サービスを提供する形態の一例を説明する図である。
【００１６】
図１に示すように、本実施形態の情報配信システム１０は、イベント会場１に設置されたフェムトセル基地局３と接続されていて、フェムトセル基地局３を介してイベント会場１で催されるイベントに参加するイベント参加者が使用する携帯端末２に対して、携帯端末２が要求する情報を配信する。
【００１７】
なお、情報配信システム１０は、通信事業者が提供する有線または無線のブロードバンド回線４および通信事業者ネットワーク５を介して、フェムトセル基地局３と接続されているものとする。
【００１８】
携帯端末２は、イベント参加者が配信を要求する情報を示す配信要求を、フェムトセル基地局３を介して、情報配信システム１０に送信する。
【００１９】
また、携帯端末２は、情報配信システム１０からフェムトセル基地局３を介して配信された情報を受信し、受信した情報をディスプレイなどの表示部に表示する。
【００２０】
なお、携帯端末２の具体例としては、情報配信サービスの提供を受けるために専用に設けられた専用端末や、イベント参加者が所有する携帯電話などの携帯端末がある。
【００２１】
このうち、イベント参加者が所有する携帯端末を携帯端末２として使用する場合には、専用端末を設けるコストを削減することができるとともに、イベント参加者は、自分が所有する、使い慣れた携帯端末により情報配信サービスの提供を受けることができるので、より利便性が増すという利点がある。
【００２２】
フェムトセル基地局３は、カバーエリア（セル半径）が数十メートル程度であり、任意の地点に一時的に設置が可能な小型基地局である。
【００２３】
したがって、イベント会場１やイベント参加者数の規模に応じ、電波の干渉、エリアカバー率などを考慮して、適当な個数のフェムトセル基地局３が、イベント会場１内の適当な箇所に設置される。
【００２４】
なお、大型基地局を用いる場合も、情報配信サービスを提供することは可能である。
【００２５】
しかし、イベント会場１では、多くのイベント参加者が同時にサービスを利用する場合、サービスの需要が増加することが考えられる。
【００２６】
この場合、サービスの需要の増加を見込んで、十分な処理能力を有する大型基地局を予め設置していないと、サービスの需要の増加により、大型基地局の処理能力が不足することになり、同時に多くのイベント参加者にサービスを提供することが困難となる。
【００２７】
これに対して、フェムトセル基地局３は、上述のように、任意の地点に一時的に設置が可能であるという利点を有するため、イベント会場１の規模やイベント参加者数などに応じ、フェムトセル基地局３を追加で設置することで、同時に多くの人にサービスを提供することができる。
【００２８】
情報配信システム１０は、携帯端末２からフェムトセル基地局３を介して、配信要求を受信すると、その配信要求に示される情報を、フェムトセル基地局３を介して携帯端末２に配信する。
【００２９】
次に、情報配信システム１０の構成について説明する。
【００３０】
図２は、情報配信システム１０の構成の一例を示す図である。
【００３１】
図２に示す情報配信システム１０は、参加者登録サーバ１１と、認証手段１２と、情報配信サーバ１３と、映像作成サーバ１４と、位置情報登録サーバ１５と、システム管理・運用手段１６と、を有する。
【００３２】
参加者登録サーバ１１は、イベント参加者が使用する携帯端末２を識別する情報を登録する。
【００３３】
なお、携帯端末２を識別する情報の登録は、例えば、イベント参加者が、イベント会場１に入場した際などに行われる。
【００３４】
認証サーバ１２は、携帯端末２からフェムトセル基地局３を介して配信要求を受信すると、その携帯端末２が、情報配信サービスの提供を受ける権限を有するかを、参加者登録サーバ１１に登録された情報に基づき認証する。
【００３５】
情報配信サーバ１３は、イベントに関連した情報を作成し、作成した情報を格納する。
【００３６】
映像作成サーバ１４は、スポーツ競技におけるリプレイ映像などの、イベントにおける映像に関連する情報を作成し、作成した情報を格納する。
【００３７】
また、情報配信サーバ１３は、情報配信サーバ１３および映像作成サーバ１４に格納された情報に基づき、携帯端末２に配信可能な情報の一覧を示すメニュー画面を作成し、作成したメニュー画面を、フェムトセル基地局３を介して携帯端末２に送信する。
【００３８】
そして、情報配信サーバ１３は、メニュー画面の中からイベント参加者により選択された情報を示す配信要求を受信すると、その配信要求により示される情報を自身の情報配信サーバ１３または映像作成サーバ１４から取得し、フェムトセル基地局３を介して、その配信要求を送信した携帯端末２に送信する。
【００３９】
位置情報登録サーバ１５は、各フェムトセル基地局３の配下にある携帯端末２の位置情報を、フェムトセル基地局３から収集し、各携帯端末２が、イベント会場１のどこに存在するかを管理する。
【００４０】
システム管理・運用サーバ１６は、上述した各サーバや、フェムトセル基地局３の内部の動作条件などを管理することで、サービス全体の管理・運用を行う。
【００４１】
なお、携帯端末２とフェムトセル基地局３の構成は、当業者にとってよく知られており、また本発明とは直接関係しないので、その詳細な説明は省略する。
【００４２】
次に、本実施形態の情報配信システム１０の動作を説明する。
【００４３】
まず、情報配信サーバ１３は、携帯端末２に配信可能な情報の一覧を示すメニュー画面を、フェムトセル基地局３を介して携帯端末２に送信する。このメニュー画面は、携帯端末２の表示部に表示される。
【００４４】
図３は、情報配信システム１０から送信され、携帯端末２の表示部に表示されるメニュー画面の一例を示す図である。なお、図３は、イベント会場１が、イベントとしてサッカーが行われる球技場である場合のメニュー画面の例を示している。
【００４５】
図３に示すように、メニュー画面には、携帯端末２に配信可能な情報の一覧が掲載されており、イベント参加者は、これらの情報のいずれかを選択する。
【００４６】
次に、携帯端末２は、イベント参加者により選択された情報を示す配信要求を、フェムトセル基地局３を介して情報配信システム１０に送信する。この配信要求は、認証サーバ１２に受信される。
【００４７】
認証サーバ１２は、携帯端末２からフェムトセル基地局３を介して配信要求を受信すると、配信要求を送信した携帯端末２が、情報配信サービスの提供を受ける権限を有するかを、参加者登録サーバ１１に登録された情報に基づき認証する。
【００４８】
情報配信サーバ１３は、認証サーバ１２により、配信要求を送信した携帯端末２が権限を有すると認証されると、その配信要求により示される情報を、自身の情報配信サーバ１３または映像作成サーバ１４から取得し、フェムトセル基地局３を介して、配信要求を送信した携帯端末２に送信する。
【００４９】
例えば、配信要求により示される情報が、図３のメニュー画面の中から選択された、「選手Ａ」の選手プロフィールである場合、情報配信サーバ１３は、自身が格納している選手Ａのプロフィールの情報を、フェムトセル基地局３を介して携帯端末２に送信する。
【００５０】
また、配信要求により示される情報が、図３のメニュー画面の中から選択された、「ゴール裏から」のＲｅｐｌａｙ映像である場合、情報配信サーバ１３は、映像作成サーバ１４に格納されているゴール裏からのＲｅｐｌａｙ映像の情報を取得し、フェムトセル基地局３を介して携帯端末２に送信する。
【００５１】
上述したように、本実施形態によれば、情報配信システム１０は、携帯端末２からフェムトセル基地局３を介して送信されてきた、イベント参加者が配信を要求する情報を示す配信要求を受信すると、配信要求に示される情報を、イベント会場１に設置されたフェムトセル基地局３を介して、配信要求を送信した携帯端末２に配信する。
【００５２】
そのため、情報配信システム１０は、イベント参加者が配信を要求する、イベント参加者個別の情報を配信することができる。
【００５３】
なお、本実施形態においては、情報配信システム１０を複数のサーバから構成する例について説明したが、本発明はこれに限らず、これら複数のサーバとそれぞれ同様の機能を備える複数の手段を１台のサーバに備えさせて、情報配信システム１０を１台のサーバで実現してもよい。
【００５４】
最後に、本発明の一実施形態の情報配信システム１０を適用した商流を説明する。
【００５５】
近年、携帯電話通信網などのインフラを保有する通信事業者から、そのインフラを借り受け、サービスを提供する仮想移動体通信事業者（ＭＶＮＯ：Ｍｏｂｉｌｅ  Ｖｉｒｔｕａｌ  Ｎｅｔｗｏｒｋ  Ｏｐｅｒａｔｏｒ）による、サービスの提供が行われている。
【００５６】
通信事業者からインフラを借り受けることで、ＭＶＮＯは、インフラの整備などを行う必要がなく、サービスの提供に必要なシステム構築の初期費用を抑制することができる。
【００５７】
本実施形態においても、ブロードバンド回線４および通信事業者ネットワーク５を通信事業者から借り受けたＭＶＮＯが、情報配信システム１０によるサービスを提供することが可能である。
【００５８】
また、ＭＶＮＯが、情報配信システム１０を構成する機器やフェムトセル基地局３などを、イベント主催者などにレンタルし、イベント主催者がサービスの提供を行うことも可能である。
【００５９】
すなわち、ブロードバンド回線４および通信事業者ネットワーク５を通信事業者から借り受けたＭＶＮＯが、情報配信システム１０を構成する機器やフェムトセル基地局３などをイベント主催者にレンタルし、イベント主催者が本実施形態の情報配信システム１０によるサービスを提供することも可能である。
【００６０】
図４は、本発明の一実施形態の情報配信システム１０を適用した、商取引の流れを示す商流を説明する図である。
【００６１】
まず、ＭＶＮＯは、通信事業者に対して回線使用料を支払い、その通信事業者が保有する通信事業者ネットワーク５およびブロードバンド回線４の設備使用権を取得する。
【００６２】
また、ＭＶＮＯは、情報配信システム１０を構成する機器やフェムトセル基地局３などのレンタルや設置、配信を行う情報であるコンテンツの作成、サービス運用時のサポートなどのサービス基盤を、イベント主催者あるいはイベント会場１の会場運営者に提供する。
【００６３】
そして、ＭＶＮＯは、サービス基盤の提供に対するシステム使用料や、システム運用のためのコンサルティング料などの支払いを受ける。
【００６４】
イベント主催者は、ＭＶＮＯから提供されたサービス基盤により、本実施形態の情報配信システム１０によるサービスを提供し、サービス利用者であるイベント参加者から、サービス利用料の支払いを受ける。
【００６５】
また、ＭＶＮＯは、配信を行う情報であるコンテンツに、広告提供者からの宣伝広告を含めるようにすることも可能である。
【００６６】
そして、ＭＶＮＯは、宣伝広告の掲載の費用として、宣伝広告料の支払いを受ける。
【符号の説明】
【００６７】
１    イベント会場
２    携帯端末
３    フェムトセル基地局
４    ブロードバンド回線
５    通信事業者ネットワーク
１０    情報配信システム
１１    参加者登録サーバ
１２    認証サーバ
１３    情報配信サーバ
１４    映像作成サーバ
１５    位置情報登録サーバ
１６    システム管理・運用サーバ
【図１】
2011004126.tif 000003
【図２】
2011004126.tif 000004
【図３】
2011004126.tif 000005
【図４】
2011004126.tif 000006